(57)【特許請求の範囲】
【請求項１】
本体ケース内部に設けられた複数本の発熱体と、前記発熱体への通電を各々入り切りするロータリスイッチと、前記本体ケース外部に設けられ、前記ロータリスイッチを回動するつまみとを具備し、前記つまみの外周部には、ロータリスイッチにより入りとされた発熱体の数と対応する数の凸を形成した複数の指針を周方向に所定間隔をおいて形成し、一方、本体ケース外部には、前記つまみの指針と対応して一つの凸状指針を設けて、ロータリスイッチにより通電状態に設定された発熱体の数と同数の凸数のつまみの指針が本体ケース外部の凸状指針に対向するようにした電気ストーブ。
【発明の詳細な説明】
【０００１】
【発明の属する技術分野】
本発明は、電気ストーブのつまみ構成に関するものである。
【０００２】
【従来の技術】
従来のこの種の暖房器具は、実公平７−１８９３０号公報に示すような構成が一般的であった。以下、その構成について図５を参照しながら説明する。
【０００３】
図に示すように、つまみ１は、前後に分割された本体ケース２の内部に設けたロータリスイッチ３と連動して回動し、発熱体４への通電を切り替える。
【０００４】
つまみ１には指針５が形成され、これと対応して本体ケース２の上面の作表示部６に通電表示部７が印刷してある。
【０００５】
そして、このつまみ１を回転してその指針５を操作表示部６の通電表示部７に合わせることによって、ロータリスイッチ３による発熱体４の通電が操作表示部６での表示のように切り替えられ、好みの暖房能力が得られるようになっていた。
【０００６】
【発明が解決しようとする課題】
しかしながら、従来の暖房器具では、つまみ１の指針５と操作表示部６の通電表示部７を目視で合わせることで発熱体４を切り替えているので、暗い場所で使用する時や目が不自由な人が使用する場合には指針５と通電表示部７を適切位置で合わすことができないという課題を有していた。
【０００７】
【課題を解決するための手段】
本発明は、上記課題を解決するために、本体ケース内部に設けられた複数本の発熱体と、前記発熱体への通電を各々入り切りするロータリスイッチと、前記本体ケース外部に設けられ、前記ロータリスイッチを回動するつまみとを具備し、前記つまみの外周部には、ロータリスイッチにより入りとされた発熱体の数と対応する数の凸を形成した複数の指針を周方向に所定間隔をおいて形成し、一方、本体ケース外部には、前記つまみの指針と対応して一つの凸状指針を設けて、ロータリスイッチにより通電状態に設定された発熱体の数と同数の凸数のつまみの指針が本体ケース外部の凸状指針に対向するようにしたものであり、手の触感で発熱体の通電を切り替えることができるものである。
【０００８】
【発明の実施の形態】
本発明は、本体ケース内部に設けられた複数本の発熱体と、前記発熱体への通電を各々入り切りするロータリスイッチと、前記本体ケース外部に設けられ、前記ロータリスイッチを回動するつまみとを具備し、前記つまみの外周部には、ロータリスイッチにより入りとされた発熱体の数と対応する数の凸を形成した複数の指針を周方向に所定間隔をおいて形成し、一方、本体ケース外部には、前記つまみの指針と対応して一つの凸状指針を設けて、ロータリスイッチにより通電状態に設定された発熱体の数と同数の凸数のつまみの指針が本体ケース外部の凸状指針に対向するようにした。
【０００９】
したがって、本体ケース外部の凸状指針に通電したい発熱体の数と同数の凸数の指針が合致するようにつまみを回動することで的確に発熱量調整が行えるものである。
【００１０】
【実施例】
以下、本発明の実施例について図面を用いて説明する。
【００１１】
（実施例１）
図１〜図３において、８は前後に分割した本体ケース、９はこの本体ケース８を支持する脚である。
【００１２】
この本体ケース８内にはロータリスイッチ３を介して通電の切り替えが行われる複数本の発熱体４が配置されている。そして、前記本体ケース８の上面１０にはロータリスイッチ３を回動操作するつまみ１１が設けられている。
【００１３】
すなわち、ロータリスイッチ３はつまみ１１を回転することで内部の接点板１２が切り替わって各発熱体４を通電本数を調整し、必要な暖房発熱量を設定するものである。
【００１４】
つまみ１１の側面表面には線状凸部の指針１３が所定間隔で複数形成され、また、本体ケース８の上面１０にも一つの凸状指針１４が設けられている。
【００１５】
前記各線状凸部の指針１３はそれぞれの凸数が異なっており、つまみ１１の切り替え位置に応じて、つまりは、そのときロータリスイッチ３で設定された発熱体４の通電本数と同数の凸数をもつ指針１３が本体ケース８の凸状指針１４に対向するようになっており、
具体的には、１本の発熱体４が通電されている位置では１本の凸数の指針１３が、２本通電位置では２本の凸数の指針１３が、３本通電位置では３本の凸数の指針１３がそれぞれ本体ケース８の凸状指針１４に対向するようにしてある。
【００１６】
次に動作、作用を説明すると、つまみ１１を介してとロータリスイッチ３を各ポジションに回転すると発熱体４の所定本数に通電され、暖房を開始する。
【００１７】
発熱体４の通電本数を切り換える時は、つまみ１１を回転して所望の凸数の指針１３を指針１４に対向させれば、発熱体４の通電本数もロータリスイッチ３で切り替えられることとなる。
【００１８】
このとき、つまみ１１の線状凸部の指針１３と本体ケース８の凸状指針１４との位置あわせでよいため、手の触感で発熱体４の通電本数調整が行えるものである。
【００１９】
（参考実施例）
図４は本発明の参考実施例を示し、前後に２分割した本体ケース８をつまみ１１の回転中心で前後に分割したものである。
【００２０】
すなわち、ロータリスイッチ３は前後本体ケース８ではさみこんで保持される共に、つまみ１１の内部下方に突出した円周状リブ１５を前後本体ケース８の上面１０より形成した円周状リブ１６に外接させたものである。
【００２１】
なお、１７はロータリスイッチ３を支持する支持リブであり、１８は前後の本体ケース８を保持固定するねじである。
【００２２】
この構成では、つまみ１１の円周状リブ１５で前後本体ケース８の円周状リブ１６の外周が保持されることとなり、その拡開を阻止する。
【００２３】
【発明の効果】
以上のように、本発明の電気ストーブによれば、複数本の発熱体の入り切り状態が手の感覚で認識できるので、暗い場所で使用する時や目の不自由な人が使用する場合でも発熱体の入り切り状態が容易に認識できるという有利な効果を有する。
【図面の簡単な説明】
【図１】  （ａ）本発明の実施例１の電気ストーブの正面図、（ｂ）同電気ストーブの側面図
【図２】  同電気ストーブの回路図
【図３】  （ａ）同電気ストーブのつまみ部の上面図、（ｂ）同つまみ部の正面図
【図４】  本発明の参考実施例を示す電気ストーブのつまみ部断面図
【図５】  （ａ）従来の電気ストーブのつまみ部の上面図、（ｂ）同つまみ部の正面図
【符号の説明】
３  ロータリスイッチ
４  発熱体
８  本体ケース
１１  つまみ
１３  線状の凸部の指針
１４  凸状指針
【図２】
0003900642.tif 000002
【図５】
0003900642.tif 000003
【図１】
0003900642.tif 000004
【図３】
0003900642.tif 000005
【図４】
0003900642.tif 000006